(57)【要約】【課題】  端末装置に提供する関連情報を、表示制御端末装置に表示されている情報に応じて動的に変更できるようにする。【解決手段】  情報提供装置100は、表示制御端末装置200に表示する表示情報と、それに関連する関連情報を特定するための情報ＩＤを表示制御端末装置200へ送信する。表示制御端末装置200は、現在表示中の表示情報と関連する関連情報を特定するための情報ＩＤを管理する。端末装置400の利用者は、表示制御端末装置200に表示されている情報に関連する関連情報を参照したい場合、表示制御端末装置200へ端末ＩＤを含む関連情報参照要求を送る。これにより、表示制御端末装置200が情報提供装置100へ、関連情報を特定する情報ＩＤ及び端末ＩＤを含む関連情報送信要求を送信する。情報提供装置100は、上記情報ＩＤによって特定される関連情報を上記端末ＩＤの端末装置400へ送信する。【選択図】図１
2007115260.tif 000002
【特許請求の範囲】
【請求項１】
制御手段により端末装置が接続されると検知し、接続を検知すると、前記端末装置内に格納されている操作履歴を読み出し、通信手段により情報提供装置へ送信することを特徴とする設定装置。
【請求項２】
設定装置が送信する、端末装置内に格納されている操作履歴を通信手段により受信させ、当該操作履歴を利用者データベースに登録させることをコンピュータに実行させるための情報提供装置用プログラムを記録したことを特徴とする記録媒体。
【請求項３】
設定装置に接続すると、情報提供装置に対して利用者データベースへの登録を促すメッセージを表示することをコンピュータに実行させるための端末装置用プログラムを記録したことを特徴とする記録媒体。
【請求項４】
設定装置に接続すると、記録媒体に格納されている操作履歴を、制御手段により設定装置へ送信することをコンピュータに実行させるための端末装置用プログラムを記録したことを特徴とする記録媒体。
【請求項５】
制御手段により端末装置が接続されると検知させ、接続を検知すると、情報提供装置に対して、情報提供サービスを利用可能な端末装置を特定する端末ＩＤが登録された利用者データベースへの登録を行うための設定情報の送信を通信手段により要求させ、前記情報提供装置からの前記設定情報を前記通信手段により受信すると、前記端末装置に対し、前記設定情報に従って利用者の設定を行わせ、該端末装置の端末ＩＤを含む関連情報参照要求を表示制御端末装置へ通信手段により送信させることをコンピュータに実行させるための設定装置用プログラムを記録したことを特徴とする記録媒体。
【請求項６】
制御手段により端末装置が接続されると検知させ、接続を検知すると、前記端末装置内に格納されている操作履歴を読み出させ、通信手段により情報提供装置へ送信させることをコンピュータに実行させるための設定装置用プログラムを記録したことを特徴とする記録媒体。
【発明の詳細な説明】
【技術分野】
【０００１】
本発明は、表示制御端末装置が備えている表示装置に表示されている情報と関連する関連情報を、他の端末装置に提供する情報提供技術に関する。
【背景技術】
【０００２】
端末装置へ情報を提供する情報提供システムとしては、従来から種々のものが提案されており、表示制御端末装置に表示されている表示情報と関連する関連情報を他の端末装置に提供する情報提供システムも従来から提案されている。
【０００３】
従来のこの種の情報提供システムとしては、例えば、特願２０００−１４２２９８に記載されているものが知られている。ここに記載されているシステムは、広告パネル装置（表示制御端末装置）に表示されている情報と関連する詳細情報を携帯端末装置（端末装置）に提供するものであり、図１５に示すように、各店舗に設置された商店端末装置１−１〜１−ｎと、各商店毎の広告パネル装置２−１〜２−ｎと、広告パネル制御装置３と、携帯端末装置４と、ネットワーク５とから構成されている。尚、広告パネル装置２−１〜２−ｎは、駅前等に設置されるものである。
【０００４】
商店端末装置１−ｊ（１≦ｊ≦ｎ）は、広告パネル装置２−ｊに表示する表示情報（例えば、店内の様子を示す画像等）を広告パネル制御装置３に送信すると共に、広告パネル装置２−ｊには表示しないが、利用者から要求があった場合に、利用者が所有している携帯端末装置４に表示する詳細情報（例えば、店舗周辺の地図等の表示情報に関連する情報）を広告パネル制御装置３に送信する。
【０００５】
広告パネル制御装置３は、商店端末装置１−ｊから表示情報，詳細情報が送られてくると、それらを広告パネル装置２−ｊの識別子ＩＤｊに対応付けて図示を省略した記憶装置に登録する。その後、広告パネル制御装置３は、識別子ＩＤｊに対応付けて記憶装置に登録されている表示情報を広告パネル装置２−ｊに送信する。
【０００６】
これにより、広告パネル装置２−ｊは、広告パネル制御装置３から送られてきた表示情報に従った表示を行う。利用者は、広告パネル装置２−ｊの表示を見て、更に詳細な情報を知りたくなった場合、自身が所有している携帯端末装置４から広告パネル装置２−ｊに対して無線等により詳細情報参照要求を送出する。この詳細情報参照要求は、広告パネル装置２−ｊを介して広告パネル制御装置３へ送られる。
【０００７】
広告パネル制御装置３は、広告パネル装置２−ｊから詳細情報参照要求が送られてくると、識別子ＩＤｊに対応付けて記憶装置に登録されている詳細情報を広告パネル装置２−ｊへ送る。これにより、広告パネル装置２−ｊは、詳細情報を要求元の携帯端末４へ送出し、携帯端末４は、送られてきた詳細情報を表示する。
【特許文献１】特願２０００−１４２２９８号公報
【発明の開示】
【発明が解決しようとする課題】
【０００８】
特願２０００−１４２２９８に記載されている技術によれば、表示装置に表示されている情報と関連する情報を端末装置に提供することはできる。しかし、この技術は、広告パネル制御装置が備えている記憶装置に、広告パネル装置の識別子に対応付けて表示情報，詳細情報を登録しておき、或る広告パネル装置を介して携帯端末装置から詳細情報参照要求が送られてきた場合、上記或る広告パネル装置に対応する詳細情報を上記或る広告パネル装置を介して携帯端末装置へ送信するようにしているだけであるので、端末装置に提供される詳細情報（関連情報）の内容が固定的に定まってしまうという問題がある。
【０００９】
そこで、本発明の目的は、端末装置に提供する関連情報を、表示制御端末装置に表示されている情報に応じて動的に変更できるようにすることにある。
【課題を解決するための手段】
【００１０】
本発明の情報提供方法は、上記目的を達成するため、端末装置（図１の４００）は、記録媒体に記憶している該端末装置の端末ＩＤを含む関連情報参照要求を送信手段（図１の４０３）により表示制御端末装置（図１の２００）に送信し、表示制御端末装置（図１の２００）は、表示側制御手段（図１の２０１）により現在表示中の表示情報に関連する関連情報の情報ＩＤを対応付けて管理しており、前記関連情報参照要求を受信手段（図１の２０４）により受信すると、前記管理している情報ＩＤと前記関連情報参照要求に含まれている前記端末ＩＤとを含む関連情報送信要求を、前記受信手段（図１の２０４）とは異なる通信手段（図１の２０２）により情報提供装置（図１の１００）に送信し、情報提供装置（図１の１００）は、提供側情報管理手段（図１の１０３）により当該表示情報の前記関連情報と情報ＩＤを用いて管理し、通信手段（図１の１０２）により前記関連情報送信要求を受信すると、前記提供側情報管理手段（図１の１０３）により前記関連情報送信要求に含まれている前記情報ＩＤによって特定される前記関連情報を、前記端末ＩＤと前記端末装置（図１の４００）へのアクセス方法を記載した利用者データベース（図１の１０５）を参照し、提供側制御手段（図１の１０１）で特定される前記端末装置（図１の４００）へ通信手段（図１の１０２）を用いて送信し、前記端末装置（図１の４００）は、前記送信手段（図１の４０３）とは異なる通信手段（図１の４０２）により前記関連情報を受信することを特徴とする。
【００１１】
この構成によれば、端末装置から関連情報参照要求が送られてきたとき、表示制御端末装置が、現在表示中の表示情報に関連する関連情報を特定するための情報ＩＤを情報提供装置へ送り、情報提供装置が、上記情報ＩＤによって特定される関連情報を端末装置へ送信するので、現在表示中の情報に関連する関連情報を端末装置へ提供することが可能になる。
【００１２】
また、本発明の情報提供システムは、情報提供装置（図１の１００）内の情報データベース（図１の１０４）に予め用意しておいた関連情報だけでなく、時々刻々変化する情報も関連情報として端末装置に提供できるようにするため、表示制御端末装置（図３の２００）から送られてきた関連情報送信要求中の情報ＩＤに基づいてネットワーク上のＷｅｂサーバ等の外部情報データベース（図３の５１０）から関連情報を検索し、検索した関連情報を所定の形式に編集する情報加工手段（図３の５０１）を備えている。
【００１３】
このような構成を採用することにより、ネットワーク上のＷｅｂサーバ等の外部情報データベースに登録されている情報（最新の株価，最新のニュース等）も関連情報として端末装置に提供することが可能になる。
【００１４】
また、本発明の情報提供システムは、Ｗｅｂページを利用した情報提供サービスの利用登録等の、Ｗｅｂページを利用した処理を容易に行えるようにするため、端末装置（図５の４００）が接続されることにより、情報提供装置（図５の１００ｂ）に対してＷｅｂページのＵＲＬを要求し、この要求に応答して情報提供装置（図５の１００ｂ）から送られてきたＵＲＬを端末装置（図５の４００）に渡し、端末装置（図５の４００）に上記ＵＲＬのＷｅｂページをアクセスさせる設定装置（図５の６００）を備えている。
【００１５】
この構成によれば、端末装置を設定装置に接続するだけで、所定のＷｅｂページをアクセスすることが可能になる。従って、Ｗｅｂページを使用して行う、情報提供サービスの利用登録等を容易に行うことが可能になる。
【発明の効果】
【００１６】
第１の効果は、表示制御端末装置に表示されている表示情報の変化に応じて、端末装置に提供する関連情報の内容を変更できるという点である。
【００１７】
その理由は、端末装置から関連情報参照要求が送られてきたとき、表示制御端末装置が、現在表示中の表示情報に関連する関連情報を特定するための情報ＩＤを情報提供装置へ送り、情報提供装置が、上記情報ＩＤによって特定される関連情報を端末装置へ送信するからである。
【００１８】
第２の効果は、情報提供装置内の情報データベースに予め容易しておいた情報だけでなく、最新の株価，最新のニュースなど時々刻々変化する情報も、関連情報として端末装置へ提供できるという点である。
【００１９】
その理由は、Ｗｅｂサーバ等の外部情報データベースを検索することにより、関連情報を取得する情報加工手段を備えているからである。
【００２０】
第３の効果は、情報提供システムの利用登録を、ユーザが容易に行えるという点である。
【００２１】
その理由は、端末装置が接続されることにより、情報提供サービスに利用登録を行うＷｅｂページのＵＲＬを情報提供装置に要求し、情報提供装置から送られてきたＵＲＬを端末装置に渡して、そのＵＲＬのＷｅｂページをアクセスさせる設定手段を備えているからである。
【００２２】
第４の効果は、表示制御装置の設置場所毎に、その場所に於いて興味が持たれている情報（広告等）を流すことが可能になる。
【００２３】
その理由は、表示制御端末装置から情報提供装置へ送信する関連情報送信要求に、情報ＩＤ，端末ＩＤの他に表示制御端末装置の設置場所を示す情報を含ませるようにしているからである。つまり、各表示制御端末装置から送られてきた情報を収集し分析することにより、各設置場所毎にどのような情報に対して関連情報の参照要求が多いかを知ることが可能になるので、表示制御端末装置の設置場所毎に、その場所に於いて興味が持たれている情報を流すことが可能になる。
【００２４】
第５の効果は、情報提供装置で、利用者毎の履歴を採った場合、利用者の好みなどを抽出し、利用者の利用価値の高い情報を提供することもできる。また、前回の操作によって変化する情報を提供することができる。
【００２５】
その理由は、端末装置からの関連情報参照要求に、端末ＩＤが含まれており、個人別に履歴を収集することができるためである。
【００２６】
第６の効果は、端末装置に固有の識別子を表示制御端末装置に送る手段を送信装置をもたない携帯電話などの端末装置においても、関連情報を端末装置に取得できることである。
【００２７】
その理由は、アッタチメントを備えているからである。
【発明を実施するための最良の形態】
【００２８】
次に本発明の実施の形態について図面を参照して詳細に説明する。
【００２９】
図１は、本発明に係る情報提供システムの第１の実施の形態の構成例を示すブロック図である。図１に示される情報提供システムは、情報提供装置１００と、表示制御端末装置２００と、端末装置４００と、各装置を接続するネットワーク３００とから構成される。
【００３０】
情報提供装置１００は、表示制御端末装置２００に表示させる表示情報に、それに関連する関連情報を特定するための情報ＩＤを付加して表示制御端末装置２００へ送信する機能や、表示制御端末装置２００から情報ＩＤ及び端末ＩＤを含む関連情報送信要求が送られてきたとき、上記端末ＩＤによって特定される端末装置へ上記情報ＩＤによって特定される関連情報を送信する機能などを有する。
【００３１】
このような機能を有する情報提供装置１００は、提供側制御手段１０１と、通信手段１０２と、提供側情報管理手段１０３と、情報データベース１０４と、利用者データベース１０５と、記録媒体Ｋ１とから構成されている。
【００３２】
情報データベース１０４には、表示制御端末装置２００に表示させる複数の表示情報及び各表示情報それぞれに対する関連情報が登録されている。
【００３３】
利用者データベース１０５には、本情報提供システムが提供する情報提供サービスを利用可能な端末装置の端末ＩＤが登録されている。
【００３４】
通信手段１０２は、表示制御端末装置２００，端末装置４００と情報をやり取りする機能を有する。
【００３５】
提供側情報管理手段１０３は、表示情報を特定するための情報（例えば、表示情報のファイル名）と、上記表示情報に関連する関連情報を特定するための情報（例えば関連情報のファイル名）と、両者を対応付ける情報ＩＤとを、例えば、対応テーブルを用いて管理する機能を有する。
【００３６】
提供側制御手段１０１は、表示情報に情報ＩＤを付加して表示制御端末装置２００へ送信する機能や、表示制御端末装置２００から情報ＩＤ及び端末ＩＤを含む関連情報送信要求が送られてきたとき、利用者データベース１０５の内容に基づいて上記端末ＩＤの端末装置が情報提供サービスの利用登録を行っているか否かを判定する機能や、利用登録を行っている端末装置であると判定した場合、提供側情報管理手段１０３が管理している内容に基づいて、情報データベース１０４から上記情報ＩＤによって特定される関連情報を取り出し、上記端末装置４００へ送信する機能などを有する。
【００３７】
記録媒体Ｋ１は、ディスク，半導体メモリ，その他の記録媒体であり、コンピュータによって構成される情報提供装置１００を情報提供システムの一部として機能させるためのプログラムが記録されている。このプログラムは、情報提供装置１００によって読み取られ、情報提供装置１００の動作を制御することにより、情報提供装置１００上に、提供側制御手段１０１，提供側情報管理手段１０３を実現する。
【００３８】
表示制御端末装置２００は、情報提供装置１００から送られてきた表示情報を表示装置２０５に表示する機能や、現在表示中の表示情報と関連する関連情報を特定する情報ＩＤを管理する機能や、端末装置４００から端末ＩＤを含む関連情報参照要求が送られてきたとき、上記端末ＩＤと上記管理している情報ＩＤとを含む関連情報送信要求を情報提供装置１００に送信する機能などを有する。
【００３９】
このような機能を有する表示制御端末装置２００は、表示側制御手段２０１と、通信手段２０２と、表示側情報管理手段２０３と、受信手段２０４と、表示装置２０５と、記録媒体Ｋ２とを備えている。
【００４０】
通信手段２０２は、情報提供装置１００との間で情報をやり取りする機能を有する。
【００４１】
受信手段２０４は、端末装置４００から送られてくる端末ＩＤを含んだ関連情報参照要求を受信する機能を有する。
【００４２】
表示側制御手段２０１は、情報提供装置１００から送られてきた表示情報をレイアウトを整えて表示装置２０５に表示する機能や、表示中の表示情報に付加されている情報ＩＤを表示側情報管理手段２０３に渡す機能や、受信手段２０４が関連情報参照要求を受信したとき、上記関連情報参照要求に含まれている端末ＩＤと表示側情報管理手段２０３が管理している情報ＩＤとを含む関連情報送信要求を作成し情報提供装置１００へ送信する機能などを有する。
【００４３】
表示側情報管理手段２０３は、表示側制御手段２０１から渡された情報ＩＤを、現在表示中の表示情報に関連する関連情報を特定する情報ＩＤとして、現在表示中の表示情報に連動して管理する機能を有する。
【００４４】
記録媒体Ｋ２は、ディスク，半導体メモリ，その他の記録媒体であり、コンピュータからなる表示制御端末装置２００を情報提供システムの一部として機能させるためのプログラムが記録されている。このプログラムは、表示制御端末装置２００によって読み取られ、その動作を制御することで、表示制御端末装置２００上に、表示側制御手段２０１，表示側情報管理手段２０３を実現する。
【００４５】
端末装置４００は、表示制御端末装置２００に対して端末ＩＤを含む関連情報参照要求を送出する機能や、情報提供装置１００から送られてきた関連情報を表示する機能等を有する。
【００４６】
このような機能を有する端末装置４００は、制御手段４０１と、通信手段４０２と、送信手段４０３と、記憶手段４０４と、ＬＣＤ等の表示装置４０５と、キーボード等の入力手段４０６と、記録媒体Ｋ３とから構成されている。
【００４７】
通信手段４０２は、情報提供装置１００との間で情報をやり取りする機能を有する。
【００４８】
制御手段４０１は、利用者が入力手段４０６を用いて関連情報参照要求の送出を指示した時、端末装置４００の端末ＩＤを含む関連情報参照要求を送信手段４０３を利用して表示制御端末装置２００へ送信する機能や、情報提供装置１００から送られてきた関連情報を記憶手段４０４に登録する機能や、情報提供装置１００から送られてきた関連情報を表示装置４０５に表示する機能を有する。
【００４９】
記録媒体Ｋ３は、ディスク，半導体メモリ，その他の記録媒体であり、端末装置４００を情報提供システムの一部として機能させるためのプログラムが記録されている。このプログラムは、コンピュータからなる端末装置４００によって読み取られ、その動作を制御することで、端末装置４００上に制御手段４０１を実現する。
【００５０】
次に、図１、図２を参照して本実施の形態の動作について詳細に説明する。
【００５１】
情報提供装置１００内の提供側制御手段１０１が、情報データベース１０４から表示情報を取り出し、その表示情報に関連する関連情報の情報ＩＤを提供側情報管理手段１０３から取得する（図２のステップＡ０１）。その後、提供側制御手段１０１は、通信手段１０２を使用して、表示情報と情報ＩＤとを表示制御端末装置２００に送信する（ステップＡ０２）。
【００５２】
表示制御端末装置２００内の表示側制御手段２０１は、情報提供装置１００から送られてきた表示情報を表示装置２０５に渡すと共に、その表示情報に付加されている情報ＩＤを表示側情報管理手段２０３に渡す（ステップＡ０３，Ａ０４）。表示側情報管理手段２０３は、情報ＩＤが渡されると、それを現在表示中の表示情報に関連する関連情報を特定する情報ＩＤとして管理し（ステップＡ０５）、表示装置２０５は、表示制御端末装置２００から渡された表示情報に従った表示を行う（ステップＡ０６）。
【００５３】
表示装置２０５の表示を見た利用者は、その表示情報に関連する関連情報を知りたい場合、端末装置４００の入力手段４０６を操作し、関連情報の取得を指示する（ステップＡ０７がＹＥＳ，Ａ０８）。これにより、制御手段４０１は、端末装置４００固有の端末ＩＤを含む関連情報参照要求を作成し、送信手段４０３を利用して表示制御端末装置２００に送信する（ステップＡ０９）。
【００５４】
表示側制御手段２０１は、受信手段２０４を介して端末装置４００からの関連情報参照要求を受信すると、それに含まれている端末ＩＤと、表示側情報管理手段２０３が管理している情報ＩＤとを含む関連情報送信要求を作成し、通信手段２０２を用いて情報提供装置１００へ送信する（ステップＡ１０，Ａ１１）。ここで、表示側情報管理手段２０３は、表示側制御手段２０１から渡された現在表示中の表示情報に関連する関連情報を特定するための情報ＩＤを管理しているので、表示情報が時間と共に変化する場合に於いても、現在表示中の表示情報に関連する関連情報の情報ＩＤを情報提供装置１００へ送信することができる。
【００５５】
情報提供装置１００内の提供側制御手段１０１は、表示制御端末装置２００からの関連情報送信要求を受信すると、それに含まれている端末ＩＤが利用者データベース１０５に登録されているか否かを調べることにより、端末装置４００が情報提供サービスの利用登録を行っている端末装置であるか否かを調べ、利用登録を行っている端末装置であると判断した場合は、ステップＡ１３の処理を行い（ステップＡ１２）、利用登録を行っていない端末装置であると判断した場合は、処理終了とする。
【００５６】
ステップＡ１３では、提供側制御手段１０１は、関連情報送信要求に含まれている情報ＩＤによって特定される関連情報を情報データベース１０４から読み出すために必要になる情報（例えば、関連情報のファイル名）を、提供側情報管理手段１０３から取得する。その後、提供側制御手段１０１は、情報データベース１０４から関連情報を取り出し、それを関連情報送信要求に含まれている端末ＩＤの端末装置４００へ送信する（ステップＡ１４）。
【００５７】
端末装置４００内の制御手段４０１は、通信手段４０２を介して情報提供装置１００からの関連情報を受信すると、それを表示装置４０５に表示すると共に、記憶手段４０４に格納する（ステップＡ１５，Ａ１６）。
【００５８】
以上説明したように、本実施の形態によれば、端末装置４００から関連情報参照要求が送られてきたとき、表示制御端末装置２００が情報提供装置１００へ、現在表示中の表示情報に関連する関連情報を特定するための情報ＩＤを送り、情報提供装置１００が、上記情報ＩＤによって特定される関連情報を端末装置４００へ送信するので、表示制御端末装置に表示されている表示情報の変化に応じて、端末装置に提供する関連情報の内容を変更することが可能になる。
【００５９】
次に、本発明の第２の実施の形態について図面を参照して詳細に説明する。
【００６０】
図３は、本発明の２の実施の形態の構成例を示すブロック図であり、図１に示した第１の実施の形態と異なる点は、情報提供装置１００の代わりに情報提供装置１００ａを備えた点と、ネットワーク３００上の外部情報データベース５１０を備えた点と、記録媒体Ｋ１の代わりに記録媒体Ｋ１ａを備えた点である。
【００６１】
本実施の形態の情報提供装置１００ａは、情報加工手段５０１が追加されている点、提供側制御手段１０１の代わりに提供側制御手段１０１ａを備えている点、提供側情報管理手段１０３の代わりに提供側情報管理手段１０３ａを備えている点が図１に示した情報提供装置１００と相違している。
【００６２】
提供側情報管理手段１０３ａは、表示情報を特定するための情報（例えば、表示情報のファイル名）と、上記表示情報に関連する関連情報を特定するための情報（例えば情報データベース１０４に格納されている関連情報のファイル名や、ネットワーク３００上を検索したり、検索結果を加工するプログラムのプログラム識別子や、検索時に使用するキーワード，ＵＲＬ等）と、両者を対応付ける情報ＩＤと、関連情報が情報データベース１０４に格納されているか否かを示す情報を、例えば対応テーブルを用いて管理する機能を有する。
【００６３】
提供側制御手段１０１ａは、図１に示した提供側制御装置１０１が備えている機能に加え、端末装置４００に提供する関連情報が情報データベース１０４に格納されていない場合、情報加工手段５０１に関連情報を検索加工するために必要になる情報（プログラム識別子，キーワード等）を渡す機能や、情報加工手段５０１から渡された関連情報を端末装置４００へ送信する機能を有する。
【００６４】
情報加工手段５０１は、提供側制御手段１０１ａから渡された情報に従ってネットワーク３００を検索し、Ｗｅｂサーバ等の外部情報データベース５１０から関連情報を取得する機能や、取得した関連情報を所定の形式に編集して提供側制御手段１０１ａに渡す機能等を有する。
【００６５】
記録媒体Ｋ１ａは、ディスク，半導体メモリ，その他の記録媒体であり、コンピュータからなる情報提供装置１００ａを情報提供システムの一部として機能させるためのプログラムが記録されている。このプログラムは、情報提供装置１００ａによって読み取られ、その動作を制御することで、情報提供装置１００ａ上に提供側制御手段１０１ａ，提供側情報管理手段１０３ａ，情報加工手段５０１を実現する。
【００６６】
次に、本実施の形態の動作について詳細に説明する。
【００６７】
図４は本実施の形態の処理例を示す流れ図であり、ステップＡ０１〜Ａ１２，Ａ１４〜Ａ１６の処理は、第１の実施の形態と同様であるので、ここではステップＡ１３の代わりに行うステップＢ０１〜Ｂ０４の処理を中心に説明を行う。
【００６８】
情報提供装置１００ａ内の提供側制御手段１０１ａは、通信手段１０２を介して表示制御端末装置２００から、関連情報の情報ＩＤ及び端末装置４００の端末ＩＤを含む関連情報送信要求を受信すると、利用者データベース１０５を利用して、端末装置４００が情報提供サービスの利用登録を行っているか否かを調べ、利用登録を行っていると判断すると、ステップＢ０１の処理を行う（ステップＡ１２）。尚、利用登録を行っていない場合は、処理終了となる。
【００６９】
ステップＢ０１では、関連情報送信要求中の情報ＩＤによって特定される関連情報が、情報データベース１０４内に存在するか否かを判断する。この判断は、提供側情報管理手段１０３ａで管理されている情報に基づいて行う。
【００７０】
そして、関連情報が情報データベース１０４に格納されていると判断した場合は、情報データベース１０４から該当する関連情報を読み出し、関連情報送信要求中の端末ＩＤによって示される端末装置４００へ送信する（ステップＢ０４，Ａ１４）。
【００７１】
これに対して、関連情報が情報データベース１０４に格納されていないと判断した場合は、提供側制御手段１０１ａは、提供側情報管理手段１０３ａから処理対象にしている情報ＩＤに対応付けて登録されている、検索加工用のプログラムの識別子，キーワード，ＵＲＬ等を取り出し、情報加工手段５０１に渡す。これにより、情報加工手段５０１は、上記プログラムを実行し、提供側制御手段１０１ａから渡されたキーワード，ＵＲＬ等に基づいてネットワーク３００を検索することにより、外部情報データベース５１０から関連情報を取得する（ステップＢ０２）。その後、情報加工手段５０１は、上記プログラムに従って、ステップＢ０２で検索した関連情報を所定の形式に編集し、編集後の関連情報を提供側制御手段１０１ａに渡す（ステップＢ０３）。例えば、関連情報が或る商品の価格である場合には、上記商品の商品名をキーワードにしてネットワーク３００を検索し、探し出した複数の上記商品についての情報の中から価格，販売店の住所等を抽出し、それらを一覧表の形式に編集した後、提供側制御手段１０１ａに渡す。これにより、提供側制御手段１０１ａは、関連情報送信要求中の端末ＩＤの端末装置４００へ関連情報を送信する（ステップＡ１４）。
【００７２】
このように、本実施の形態によれば、ネットワーク上のＷｅｂサーバ等の外部情報データベース５１０に格納されている情報を、関連情報として端末装置４００の利用者に提供することができるので、最新のニュースや、最新の商品の価格など、時々刻々変化する情報も関連情報として端末装置４００の利用者に提供することが可能になる。
【００７３】
次に、本発明の第３の実施の形態について参照して詳細に説明する。
【００７４】
図５は、本発明の第３の実施の形態の構成例を示すブロック図であり、設定装置６００が追加されている点、及び情報提供装置１００ａの代わりに情報提供装置１００ｂを備えている点が、図３に示した第２の実施の形態と異なっている。
【００７５】
設定装置６００は、制御手段６０１と、通信手段６０２と、切替ボタン６０３とを備えている。
【００７６】
通信手段６０２は、情報提供装置１００ｂとの間で情報をやり取りする機能を有している。
【００７７】
切替ボタン６０３は、利用者の操作により、複数の状態をとることができる。
【００７８】
制御手段６０１は、切替ボタン６０３が第１の状態の時に、端末装置４００が接続された場合、情報提供装置１００ｂに対して設定情報を要求する機能や、この要求に応答して情報提供装置１００ｂから送られてきた設定情報を端末装置４００に渡す機能や、端末装置４００内の制御手段４０１に対して設定情報を利用した処理を行わせる機能を有する。
【００７９】
また、制御手段６０１は、切替ボタン６０３が第２の状態の時に、端末装置４００が接続された場合、端末装置４００内の制御手段４０１に対して、記憶手段４０４に格納されてる情報の読み出しを指示する機能や、この指示に応答して制御手段４０１が記憶手段４０４から読み出した情報を情報提供装置１００ｂへ送信する機能を有する。
【００８０】
情報提供装置１００ｂは、提供側制御手段１０１ａの代わりに提供側制御手段１０１ｂを備えている点、及び記録媒体Ｋ１の代わりに記録媒体Ｋ１ｂを備えている点が、図３に示した情報提供装置１００ａと相違している。
【００８１】
提供側制御手段１０１ｂは、提供側制御手段１０１ａが備えている機能に加え、設定装置６００からの要求に応答して設定情報を設定装置６００へ送信する機能を有する。
【００８２】
記録媒体Ｋ１ｂは、ディスク，半導体メモリ，その他の記録媒体であり、コンピュータからなる情報提供装置１００ｂを情報提供システムの一部として機能させるためのプログラムが記録されている。このプログラムは、情報提供装置１００ｂによって読み取られ、その動作を制御することで、情報提供装置１００ｂ上に提供側制御手段１０１ｂ，提供側情報管理手段１０３を実現する。
【００８３】
次に、本実施の形態の動作を図面を参照して詳細に説明する。尚、関連情報を端末装置４００へ提供する際の処理は、第２の実施の形態と同様であるので、ここでは、設定装置６００に関係する処理のみを説明する。
【００８４】
先ず、図６の流れ図を参照して、切替ボタン６０３が第１の状態の時に、端末装置４００が接続された場合の動作について説明する。
【００８５】
設定装置６００内の制御手段６０１は、切替ボタン６０３が第１の状態の時に端末装置４００が接続されると、情報提供装置１００ｂに対して設定情報を要求する（ステップＣ０１，Ｃ０２）。これにより、情報提供装置１００ｂ内の提供側制御手段１０１ｂが、設定情報（例えば、情報提供サービスの利用登録を行うＷｅｂページのＵＲＬ等）を設定装置６００へ送信する（ステップＣ０３）。
【００８６】
設定装置６００内の制御手段６０１は、通信手段６０２を介して設定情報を受信すると、端末装置４００の制御手段４０１にアクセスし、設定操作（動作内容）を指示すると共に、設定情報を渡す（ステップＣ０４，Ｃ０５，Ｃ０６）。これにより、制御手段４０１は、指示された設定操作及び渡された設定情報に従った処理を行う（ステップＣ０７）。例えば、制御手段４０１に対してブラウザの起動を指示し、設定情報として渡したＵＲＬによって特定されるＷｅｂページから情報提供サービスの入会申し込み画面を取得させ、それを表示装置４０５に表示させる等の処理を行わせる。
【００８７】
次に、図７を参照して切替ボタン６０３が第２の状態の時に、端末装置４００が接続された場合の動作を説明する。
【００８８】
制御手段６０１は、切替ボタン６０３が第２の状態の時に端末装置４００が接続されると、制御手段４０１に対して、記憶装置４０４に格納されている情報（例えば、情報提供サービスの利用履歴）の読み出しを指示する（図７のステップＤ０１，Ｄ０２）。これにより、制御手段４０１は、記憶手段４０４に格納されている情報を読み出し、制御手段６０１に渡す（ステップＤ０３，Ｄ０４）。制御手段６０１は、制御手段４０１から渡された情報を、通信手段６０２を利用して情報提供装置１００ｂへ送信する（ステップＤ０５，Ｄ０６）。情報提供装置１００は、その情報を受け取り、例えば、利用者データベース１０５に登録する（ステップＤ０７）。
【００８９】
このように、本実施の形態によれば、端末装置４００を設定装置６００に接続するだけで、端末装置４００に情報提供サービスの利用登録を行うＷｅｂページのＵＲＬ等の設定情報を利用した処理を行わせたり、端末装置４００内の記憶手段４０４の記憶内容を情報提供装置１００ｂへ送信することができるので、利用登録や、利用履歴の収集を容易に行うことが可能になる。
【実施例】
【００９０】
次に、本発明の第１の実施例を、図面を参照して説明する。かかる実施例は本発明の第１の実施の形態に対応するものである。
【００９１】
図８は、本発明をカラオケシステムに適用し、広告配信サービスを行う例を示すシステム概念図である。
【００９２】
本実施例は、情報提供装置８００と、カラオケ制御装置８１１，大画面ディスプレイ８１２からなるカラオケ装置８１０と、携帯端末装置８２０と、インターネット７０１と、無線公衆網へのゲートウェイ７０２とから構成されている。
【００９３】
情報提供装置８００は、その筐体内に、図１に示した提供側制御手段１０１，提供側情報管理手段１０３を実現するための中央演算処理装置（ＣＰＵ）、通信手段１０２を実現するためのモデム、情報データベース１０４を実現するための磁気ディスク記憶装置が収容されている。また、情報提供装置８００は、インターネット７０１に接続されている。
【００９４】
磁気ディスク記憶装置によって実現される情報データベース１０４には、大画面ディスプレイ８１２に表示する複数の表示広告と、各表示広告それぞれの関連情報（関連広告情報）とが登録される。ここでの表示広告とは、大画面ディスプレイ８１２に表示する広告映像／画像／音声／文字データである。また、関連広告情報とは、店の地図、セール品情報等であり、形式は、テキストファイル、ＨＴＭＬファイル、画像や映像や音声ファイルの他、ＷｅｂページのＵＲＬや実行プログラムでもよい。
【００９５】
ＣＰＵによって実現される提供側情報管理手段１０３は、大画面ディスプレイ８１２に表示する表示広告と、携帯端末装置８２０に提供する関連広告情報とを情報ＩＤの役割を持つ広告情報ＩＤで対応付ける。広告情報ＩＤとしては、情報提供装置８００で割り振った“ＣＭ０００１”などアルファベットと数字から構成される文字列を使用することができる。関連付ける例を図９に示す。また、広告情報ＩＤとして関連広告情報のファイルを使用することができる。このようにした場合は、図９中の関連広告情報のファイル名の項目は不要になる。また、広告情報ＩＤとして関連広告情報の内容そのものを使用するようにしても良い。その時、情報提供装置８００で対応付ける例を図１０に示す。尚、図１０に示すような対応付けを行った場合は、情報データベース１０４は不要になる。
【００９６】
カラオケ装置８１０は、図１の表示制御端末装置２００に対応するものである。カラオケ装置８１０を構成するカラオケ制御装置８１１の筐体内には、図１に示した表示側制御手段２０１，表示側情報管理手段２０３を実現するためのＣＰＵ、通信手段２０２を実現するためのモデム、受信手段２０４を実現するための赤外線のレシーバが収容されている。通信手段２０２は、情報提供装置８００と通信を行うためにインターネット７０１に接続され、表示側制御手段２０１は、カラオケ映像や歌詞、表示広告を表示する大画面ディスプレイ８１２に接続されている。尚、本実施例では、カラオケ制御装置８１１と情報提供装置８００とをインターネット７０１で接続するようにしたが、公衆電話網やＩＳＤＮ等で接続しても良い。また、情報提供装置８００とカラオケ制御装置８１１との通信は、衛星放送、地上波放送を使用してもよい。
【００９７】
携帯端末装置８２０は、携帯電話，ＰＨＳ，通信機能を有する携帯端末等によって実現されるものであり、図１に示した端末装置４００と対応するものである。携帯端末装置８２０は、図１に示した制御手段４０１としてＣＰＵを、記憶手段４０４としてメモリを、表示装置４０５としてディスプレイを、入力手段４０６として入力ボタンを、通信手段４０２として無線公衆網へのモデムを、送信手段４０３として赤外線のトランシーバを有する。以下、携帯端末装置８２０が１つの場合を説明するが、複数でもよい。
【００９８】
次に、本実施例の動作を説明する。
【００９９】
情報提供装置８００が、カラオケ制御装置８１１に表示広告ファイルと広告情報ＩＤをインターネット７０１を介して送信する。送信プロトコルはＴＣＰ／ＩＰなど、既存のものが使用可能である。
【０１００】
表示広告ファイルと広告情報ＩＤとをカラオケ制御装置８１１がインターネット７０１経由で受信する。この受信プロトコルもＴＣＰ／ＩＰなど、既存のものが使用可能である。カラオケ制御装置８１１が公衆電話網で接続されている場合は、公衆電話網からサービスプロバイダを介してインターネット７０１に送信する。
【０１０１】
そして、カラオケ制御装置８１１が、カラオケの映像と歌詞、表示広告を予め決められた配置でレイアウトし、大画面ディスプレイ８１２に送る。同時に、カラオケ制御装置８１１が、その内部のメモリに広告情報ＩＤを登録する。新しい表示広告を表示する際は、その広告情報ＩＤに置換する。表示の配置と新しい表示広告を表示するタイミングは、カラオケ制御装置８１１で決められていても、情報提供装置８００が指定し、情報と共に送信してもよい。大画面ディスプレイ８１２は、レイアウトされたカラオケの映像と歌詞、表示広告を表示する。
【０１０２】
携帯端末装置８２０を持っている利用者は、大画面ディスプレイ８１２の表示広告を見て、その広告に関連する関連広告も参照したい場合は、関連広告参照時に行う予め定められているボタン操作を行う。
【０１０３】
携帯端末装置８２０は、所定のボタン操作が行われると、端末ＩＤとして携帯端末装置８２０のメールアドレスを含んだ関連情報参照要求を赤外線のトランシーバなどの無線通信を通じてカラオケ制御装置８１１に送信する。この送信プロトコルは一般にリモコンで使用されているものが使用可能である。端末ＩＤは、電話番号やＩＰアドレスなど、携帯端末装置を認識できる他のものでもよい。その場合、端末ＩＤが携帯端末装置８２０にアクセスできるものでなければ、予め情報提供装置８００で、携帯端末装置８２０にアクセスできるもの（例えば、メールアドレス、電話番号、ＩＰアドレス）と対応付けて登録しておく。
【０１０４】
メールアドレスを含んだ関連情報参照要求を赤外線のレシーバで受信したカラオケ制御装置８１１は、その時記憶している広告情報ＩＤと上記メールアドレス（端末ＩＤ）とを含んだ関連情報送信要求を、インターネット７０１を介して情報提供装置８００に送信する。赤外線の受信プロトコルは、一般にリモコンで使用されているものが使用可能である．また、情報提供装置８００への送信プロトコルはＴＣＰ／ＩＰなど、既存のものを使用可能である。
【０１０５】
情報提供装置８００は、メールアドレス、広告情報ＩＤを含んだ関連情報送信要求を受信すると、上記広告情報ＩＤに対応する関連広告情報を特定し、メールアドレス宛に関連広告情報を電子メールでインターネット７０１を介して送信する。この電子メール中に、広告のＷｅｂページのＵＲＬを含めても良い。この時の送受信も既存のプロトコルが使用可能である。
【０１０６】
途中、無線通信網へのゲートウェイ７０２経て、携帯端末装置８２０は、情報提供装置８００からの電子メールを受信し、ディスプレイに表示する。また、この電子メールをメモリに残しておくことで、利用者がカラオケを終えて家に帰ってからでも関連広告情報を利用することができる。無線通信網へのゲートウェイ７０２の働きや、広告ＵＲＬから広告のＷｅｂページへのアクセスは、既存のＷｅｂ閲覧のできる携帯電話サービスのものが使用可能である。
【０１０７】
次に第２の実施例を説明する。かかる実施例は第１の実施の形態に対応するものである。
【０１０８】
本実施例は第１の実施例と構成を同じとするが、情報提供装置８００の磁気ディスク記憶装置上に、図１に示した利用者データベース１０５を実現し、更に、ＣＰＵに利用者管理機能を持たせた点が異なる。利用者データベース１０５では、本発明の情報提供システムによって提供される情報提供サービスへの利用登録を行った端末ＩＤ（例えば、メールアドレス）を記憶している。
【０１０９】
次に、本実施例における動作を説明する。
【０１１０】
情報提供装置８００は、メールアドレス及び広告情報ＩＤを含む関連情報送信要求を受信すると、メールアドレス宛に関連広告情報を電子メールでインターネットを介して送信する。この時、利用者データベースを検索し、上記メールアドレスが格納されているか否かを調べてもよい。その場合、利用者データベースに上記メールアドレスが見つかった場合は利用登録を行っているとみなし、広告情報ＩＤに対応する関連広告情報を特定し、メールアドレス宛に関連広告情報を電子メールでインターネットを介して送信する。これに対して、メールアドレスを検索できない場合は、利用登録を行っていないとみなし、利用登録を促すメッセージを含んだメールを携帯端末装置８２０へ送信する等の利用登録促進処理を行う。また、この利用登録促進処理に於いて、利用者がメールアドレスを情報提供装置へ通知することを許可し、送られてきたメールアドレスを利用者データベースに登録するようにしても良い。また、利用者データベースにメールアドレスと共に何の情報にアクセスしたかを示す情報（例えば、広告情報ＩＤ或いは広告情報ＩＤと対応する広告情報）をメールアドレス別（大抵は利用者別と等価）の履歴として記憶すれば、利用者の好みを抽出し、利用者の興味にあった情報を提供したり、前回の操作に対応した情報を提供することができ、ゲームなどを行うこともできる。また、上述した説明では、利用者データベースに端末ＩＤとして携帯端末装置のメールアドレスを登録するようにしたが、端末ＩＤとして情報提供装置の管理者が携帯端末装置に付与した登録番号を登録し、それに対応付けて上記携帯端末装置のメールアドレスを登録するようにしても良い。そして、この場合、携帯端末装置８２０は、端末ＩＤとして登録番号を含む関連情報参照要求をカラオケ装置８１０へ送信し、カラオケ装置８１０は、上記登録番号と広告情報ＩＤとを含む関連情報送信要求を情報提供装置８００へ送信する。情報提供装置８００は、カラオケ装置８１０から登録番号及び広告情報ＩＤを含む関連情報送信要求が送られてくると、登録番号をキーにして利用者データベースを検索し、上記登録番号が登録されているか否かを調べる。そして、登録されている場合は、それと対になっているメールアドレス宛へ関連広告情報を電子メールで送信し、登録されていない場合は、処理を打ち切る。
【０１１１】
次に第３の実施例を説明する。かかる実施例は本発明の第１の実施の形態に対応するものであり、情報提供装置が表示広告と関連広告情報とを関連付ける際、１つの表示広告に対し、複数の関連広告情報を関連付けるようにしている。
【０１１２】
本実施例における動作を、第１の実施例で用いた図８のカラオケシステムの概念図を用いて説明する。
【０１１３】
情報提供装置８００は、１つの表示広告に対し、複数の関連広告情報を関連付ける為に、１つの広告情報ＩＤに複数の関連広告情報を対応付け、各関連広告情報にコマンドを対応付けている。その１例を図１１に示す。コマンドは携帯端末装置８２０の入力ボタン番号やアルファベットや数字から構成される文字列などを対応付けることが可能である。カラオケ制御装置８１１に表示広告と広告情報ＩＤをインターネット７０１を介して送信する。その際、各コマンド番号とそれに対応する関連広告情報のタイトルや見出しを表示するデータを表示広告に含ませる。
【０１１４】
カラオケ制御装置８１１が、表示広告と広告情報ＩＤとコマンドをインターネット７０１経由で受信し、広告情報ＩＤとコマンドをメモリに格納する。新しい表示広告を表示する際は、その広告情報ＩＤとコマンドに置換する。大画面ディスプレイ８１２は、カラオケの映像と歌詞と共に、表示広告（コマンドとそれに対応する関連広告情報のタイトルや見出しを含む）を表示する。
【０１１５】
携帯端末装置８２０を持っている利用者が、大画面ディスプレイ８１２の表示広告（コマンド番号とそれに対応する関連情報のタイトルや見出しを含む）を見て、興味のある関連広告情報があれば、携帯端末８２０の入力ボタンでそれに対応するコマンドのボタンを押す。ボタンが押されると、メールアドレスとコマンドとを含んだ関連情報参照要求が、赤外線のトランシーバなどの無線通信を通じてカラオケ制御装置８１１へ送信される。
【０１１６】
メールアドレスとコマンドとを含んだ関連情報参照要求を赤外線のレシーバで受信したカラオケ制御装置８１１は、その時記憶している広告情報ＩＤと、上記メールアドレス，コマンドとを含んだ関連情報送信要求をインターネット７０１を介して情報提供装置８００に送信する。
【０１１７】
情報提供装置８００は、メールアドレス，コマンド及び広告情報ＩＤを含んだ関連情報送信要求を受信し、広告情報ＩＤとコマンドに対応する関連広告情報を特定する。そして、メールアドレス宛に関連広告情報を電子メールをインターネット７０１、無線公衆網へのゲートウェイ７０２を経由して送信する
【０１１８】
次に第４の実施例を、第１の実施例で用いた図８のカラオケシステムの概念図を参照して説明する。かかる実施例は、本発明の第１の実施の形態に対応するものであり、本発明の情報提供システムの利用を許可した利用者に、情報提供装置８００の管理者が個人ＩＤを付与し、この個人ＩＤを利用して、情報提供システムの利用制限や、履歴収集を行うものである。個人ＩＤは、“ABC012”のようなアルファベットと数字から構成される文字列など、利用者識別に一般的に利用される仕組みをそのまま利用可能であり、詳細は省略する。
【０１１９】
個人ＩＤを使用すると、携帯端末装置８２０が関連情報参照要求をカラオケ制御装置８１１に送信する際に、個人ＩＤが携帯端末装置８２０のメモリになければカラオケ制御装置８１１にメールアドレスを送信できないように制御することができる。また、第２の実施例において、情報提供装置８００の利用者データベースに個人ＩＤを記憶すると、携帯端末装置８２０から関連情報参照要求と一緒に個人ＩＤをカラオケ制御装置８１１へ送信し、カラオケ制御装置８１１で関連情報送信要求に広告情報ＩＤを加えて情報提供装置８００へ送信することにより、利用者が他の携帯端末装置から本発明の情報提供システムを利用した場合でも、個人ＩＤ別（利用者別）に利用者の要求した情報の履歴を利用者データベースに記憶することができる。
【０１２０】
次に第５の実施例を、第１の実施例で用いた図８のカラオケシステムの概念図を参照して説明する。かかる実施例は本発明の第１の実施の形態に対応するものであり、カラオケ制御装置８１０に固有のＩＤ（装置ＩＤと呼ぶ）を与え、それを利用する。本実施例では、装置ＩＤとカラオケ装置８１０のある場所を対応させたテーブルを、情報提供装置８００の情報管理手段が保持しておくことで、カラオケ装置８１０の存在する場所を特定することができる。装置ＩＤは“A00012”のようなアルファベットと数字から構成される文字列などを利用することができる。
【０１２１】
本実施例における動作を説明する。予め、情報提供装置８００の情報管理手段で、装置ＩＤとカラオケ制御装置８１１の存在する場所を対応させたテーブルを作成し保持しておく。
【０１２２】
情報提供装置８００は、表示広告をカラオケ制御装置８１１に送信する場合、それに広告情報ＩＤ，装置ＩＤを付加して送信する。カラオケ制御装置８１１は、情報提供装置８００から送信された広告情報ＩＤ，装置ＩＤをメモリに格納する。携帯端末装置８２０から端末ＩＤ（メールアドレス）を含んだ関連情報参照要求が送られてくると、カラオケ制御装置８１１は、上記メールアドレスと、メモリに格納されている広告情報ＩＤ，装置ＩＤとを含んだ関連情報送信要求を、インターネット７０１を介して情報提供装置８００に送信する。
【０１２３】
情報提供装置８００は、メールアドレス，広告情報ＩＤ及び装置ＩＤを含んだ関連情報送信要求を受信すると、広告情報ＩＤに対応する関連広告情報を特定すると共に、装置ＩＤに対応するカラオケ装置８１０のある場所、すなわち携帯端末装置８２０の存在する場所であると同時に利用者のいる場所を特定することができる。情報提供装置８００でこの情報を収集すると、どの場所からどの広告への情報要求が多いかなどを分析することができる。その結果、カラオケ装置の設置場所毎に、有効な広告（関連広告の参照要求が多い広告）を流すことが可能になる。
【０１２４】
次に第６の実施例を、図面を参照して説明する。かかる実施例は第１の実施の形態に対応するものである。
【０１２５】
図１２は本実施例のシステム概念図である。本実施例は第１の実施例と構成を同じとするが、携帯端末装置８２０にカラオケ制御装置８１１への送信手段がない場合にも、情報提供サービスを利用できるようにしたものである。
【０１２６】
この場合、送信手段の機能を有するアタッチメント１２００を携帯端末装置８２０とシリアルポートで接続して実現してもよい。また、入力手段の機能を有するアタッチメントも携帯端末装置８２０とシリアルポートで接続して実現してもよい。動作はアタッチメント１２００と携帯端末装置８２０を接続した後は、第１の実施例と同様なので省略する。
【０１２７】
次に第７の実施例を、図面を参照して説明する。かかる実施例は第２の実施の形態に対応するものである。
【０１２８】
図１３は本実施例のシステム概念図である。本実施例は、情報提供装置８００の代わりに関連広告情報を検索加工する情報加工手段を有する情報提供装置１３００を備えた点が第１の実施例と相違している。以下、情報提供装置１３００内に情報加工手段が設けられている場合について説明するが、情報加工手段は情報提供装置１３００外のインターネット上にあってもよい。
【０１２９】
本実施例の動作を、大画面ディスプレイ８１２にＤＶＤプレイヤーの広告，フラットテレビの広告を表示し、携帯端末装置８２０に関連情報としてそれぞれの商品の価格を提供する場合を例に挙げて説明する。
【０１３０】
情報提供装置１３００内の提供側情報管理手段で、大画面ディスプレイ８１２に表示するＤＶＤプレイヤーの表示広告，フラットテレビの表示広告と、情報加工手段５０１に実行させる検索加工用のプログラム，キーワード，ＵＲＬとを、情報ＩＤの役割を持つ価格検索ＩＤで関連付け、保持しておく。
【０１３１】
情報提供装置１３００は、カラオケ制御装置８１１にＤＶＤプレイヤーの表示広告，フラットテレビの表示広告と、それぞれに関連付けられた価格検索ＩＤをインターネット７０１を介して送信する。送信プロトコルはＴＣＰ／ＩＰなど、既存のものが使用可能である。
【０１３２】
ＤＶＤプレイヤーの表示広告，フラットテレビの表示広告と、それぞれに関連付けられた価格検索ＩＤをカラオケ制御装置８１１が受信する。この受信プロトコルもＴＣＰ／ＩＰなど、既存のものが使用可能である。カラオケ制御装置８１１が、カラオケの映像と歌詞、ＤＶＤプレイヤーの表示広告を予め決められた配置でレイアウトし、大画面ディスプレイ８１２に表示する。配置はカラオケ制御装置８１１で決められていても、情報提供装置１３００から送られる情報と共に指定されてもよい。
【０１３３】
同時に、表示広告に関連付けられた価格検索ＩＤをメモリに格納する。フラットテレビの表示広告を表示する際は、フラットテレビの価格検索ＩＤに置換する。この表示広告データの切替は、情報処理装置１３００がタイミング信号を送信しても、カラオケ制御装置８１１が行ってもよい。
【０１３４】
大画面ディスプレイ８１２は、レイアウトされたカラオケの映像と歌詞、ＤＶＤプレイヤーの広告を表示する。
【０１３５】
携帯端末装置８２０を持っている利用者が、大画面ディスプレイ８１２のＤＶＤプレイヤーの広告を見て、興味があれば、携帯端末装置８２０の入力ボタンを操作する。
【０１３６】
入力ボタンが操作されると、携帯端末装置８２０は、携帯端末装置８２０のメールアドレスを端末ＩＤとして含んだ関連情報参照要求を、赤外線のトランシーバなどの無線通信を通じてカラオケ制御装置８１１に送信する。この送信プロトコルは一般にリモコンで使用されているものが使用可能である。端末ＩＤは、電話番号やＩＰアドレスなど、端末を特定できる他のものでもよい。
【０１３７】
メールアドレスを含んだ関連情報参照要求を赤外線のレシーバで受信したカラオケ制御装置８１１は、その時記憶しているＤＶＤプレイヤーの価格検索ＩＤと、上記メールアドレスとを含んだ関連情報送信要求を、インターネット７０１を介して情報提供装置１３００に送信する。赤外線の受信プロトコルは、一般にリモコンで使用されているものが使用可能である。また、情報提供装置１３００への送信プロトコルはＴＣＰ／ＩＰなど、既存のものを使用可能である
【０１３８】
情報提供装置１３００は、メールアドレス及びＤＶＤプレイヤーの価格検索ＩＤを含んだ関連情報送信要求を受信すると、価格検索ＩＤからＤＶＤプレイヤーの価格を検索すると共に検索結果を加工するプログラムを特定し、キーワードと共に情報加工手段に送る。情報加工手段は、ＤＶＤプレイヤーの価格を検索し検索結果を加工するプログラムを実行する。そして、その結果を電子メールでメールアドレス宛にインターネットを介して送信する。この時の送信も既存のものが使用可能である。途中、無線通信網へのゲートウェイ７０２を経て、携帯端末装置８２０は、情報提供装置１３００からの電子メールを受信し、ディスプレイに表示する。無線通信網へのゲートウェイ７０２の働きは、既存の電子メールを受信できる携帯電話サービスのものが使用可能である。
【０１３９】
次に第８の実施例を、図面を参照して説明する。かかる実施例は第３の実施の形態に対応するものである。
【０１４０】
図１４は本実施例のシステム概念図である。本実施例は、設定装置１４００を備えた点で第１の実施例と異なる。設定装置１４００は、その筐体内に、図５に示した制御手段６０１を実現するためのＣＰＵを備えている。
【０１４１】
本実施例において、端末端末装置１４１０が第１の実施例である「広告配信サービス」の利用登録を行う動作について説明する。
【０１４２】
情報提供装置８００に広告配信サービスの利用登録を行うＷｅｂページを用意する。設定装置１４００を携帯端末装置１４１０とシリアルポートにより接続する。
【０１４３】
設定装置１４００がインターネット７０１を経由して情報提供装置８００と接続し、情報提供装置８００にある利用登録を行うＷｅｂページのＵＲＬを受信する。その後、携帯端末装置１４１０内のＣＰＵにアクセスし、ＵＲＬを渡す。情報提供装置８００との接続は、ＴＣＰ／ＩＰなど既存の通信プロトコルを使用することができる。また、設定装置１４００による携帯端末装置１４１０のＣＰＵへのアクセスはシリアル通信で行うことができる。
【０１４４】
その後、設定装置１４００が、携帯端末装置１４１０のＷＷＷ閲覧の操作コマンドを制御する。これにより、携帯端末装置１４１０が、設定装置１４００から渡されたＵＲＬによって示される、利用登録のＷｅｂページをアクセスする。ＷＷＷ閲覧の操作コマンドの制御とは、利用者が携帯端末装置１４１０でＷＷＷ閲覧を行う際に操作するボタン列を携帯端末装置１４０１のＣＰＵに送信することである。
【０１４５】
インターネット７０１を利用して利用登録のＷｅｂページに接続すると、利用登録ページが携帯端末装置１４１０のディスプレイに表示される。
【０１４６】
利用者は登録を行うならば、Ｗｅｂページ上の所定の位置にメールアドレスを入力して、「ＯＫ」ボタンを選択する。
【０１４７】
これにより、端末装置１４１０は、情報提供装置８００にメールアドレスを送信する。送信方法は既存のＷＷＷで使用されているプロトコルを使用することができる。
【０１４８】
情報提供装置８００は、メールアドレスを受け取ると磁気ディスク記憶装置上の利用者データベースに登録し、利用登録されたことを示す文章を携帯端末装置１４１０に電子メールで送信する。
【０１４９】
ここでは、送信手段を持つ携帯端末１４１０について説明したが、設定装置１４００を第６の実施例の送信手段の機能を有するアタッチメントに接続して使用することも可能である。また、設定装置１４００に携帯端末１４１０やアタッチメントの充電機能を付加してもよい。
【図面の簡単な説明】
【０１５０】
【図１】本発明の第１の実施の形態の構成例を示すブロック図である。
【図２】本発明の第１の実施の形態の処理例を示す流れ図である。
【図３】本発明の第２の実施の形態の構成例を示すブロック図である。
【図４】本発明の第２の実施の形態の処理例を示す流れ図である。
【図５】本発明の第３の実施の形態の構成例を示すブロック図である。
【図６】本発明の第３の実施の形態の処理例を示す流れ図である。
【図７】本発明の第３の実施の形態の処理例を示す流れ図である。
【図８】第１の実施例のシステム概念図である。
【図９】表示広告と関連広告情報を広告情報ＩＤで対応付ける例を示した図である。
【図１０】表示広告と関連広告情報を広告情報ＩＤで対応付ける他の例を示した図である。
【図１１】第３の実施例における表示広告と複数の関連広告情報を広告情報ＩＤとコマンドで対応付ける例を示した図である。
【図１２】第６の実施例のシステム概念図である。
【図１３】第７の実施例のシステム概念図である。
【図１４】第８の実施例のシステム概念図である。
【図１５】従来の技術を説明するためのブロック図である。
【符号の説明】
【０１５１】
１００…情報提供装置
１０１…提供側制御手段
１０２…通信手段
１０３…提供側情報管理手段
１０４…情報データベース
１０５…利用者データベース
Ｋ１…記録媒体
２００…表示制御端末装置
２０１…表示側制御手段
２０２…通信手段
２０３…表示側情報管理手段
２０４…受信手段
２０５…表示装置
Ｋ２…記録媒体
３００…インターネット
４００…端末装置
４０１…制御手段
４０２…通信手段
４０３…送信手段
４０４…記憶手段
４０５…表示装置
４０６…入力手段
Ｋ３…記録媒体
１００ａ…情報提供装置
１０１ａ…提供側制御手段
１０３ａ…提供側情報管理手段
５０１…情報加工手段
５１０…外部情報データベース
Ｋ１ａ…記録媒体
１００ｂ…情報提供装置
１０１ｂ…提供側制御手段
６００…設定装置
６０１…制御手段
６０２…通信手段
６０３…切替ボタン
Ｋ１ｂ…記録媒体
７０１…インターネット
７０２…無線公衆網へのゲートウェイ
８００…情報提供装置
８１０…カラオケ装置
８１１…カラオケ制御装置
８１２…大画面ディスプレイ
８２０…携帯端末装置
１２００…アッタチメント
１３００…情報提供装置
１４００…設定装置
１４１０，１４２０，１４３０…携帯端末装置
１−１〜１−ｎ…商店端末装置
２−１〜２−ｎ…広告パネル装置
３…広告パネル制御装置
４…携帯端末装置
５…ネットワーク
【図１】
2007115260.tif 000003
【図２】
2007115260.tif 000004
【図３】
2007115260.tif 000005
【図４】
2007115260.tif 000006
【図５】
2007115260.tif 000007
【図６】
2007115260.tif 000008
【図７】
2007115260.tif 000009
【図８】
2007115260.tif 000010
【図９】
2007115260.tif 000011
【図１０】
2007115260.tif 000012
【図１１】
2007115260.tif 000013
【図１２】
2007115260.tif 000014
【図１３】
2007115260.tif 000015
【図１４】
2007115260.tif 000016
【図１５】
2007115260.tif 000017